(57)【要約】【課題】  穴付ボルトのレンチ挿入穴への雨水や泥沙の侵入を困難にし、一見するとカバーキャップの脱着が不可能なような外観を呈し、悪意者によるボルトの抜脱を断念させるが、指定された冶具を用いた場合には、ボルトの脱着を容易にし、あわせて穴付ボルトを取り付けた装置の振動による、カバーキャップの脱落を防止する。【解決手段】  その平面形状によってレンチ挿入穴の底部に嵌着されるミニ螺子３と、該ミニ螺子の軸に貫装された弾性材によるリング型断面変形固定具２を、傘状カバーキャップを備えるマッシュルーム型ボルト１に、ミニ螺子３の軸部を螺入することにより、リング型断面変形固定具２の上下が圧縮されて円周方向に拡張し、レンチ挿入穴５の内壁に密着し、その摩擦力によってマッシュルーム型ボルト１を穴付きボルトのレンチ挿入口に冠着させる。【選択図】図１
2010175068.tif 000002
【特許請求の範囲】
【請求項１】
異型棒状レンチあるいは多角形棒状レンチの挿入穴を一体として備える穴付スクリューボルトの該棒状レンチ挿入穴にカバーキャップを冠着するために、該棒状レンチ挿入穴に容易に緩挿しうる、該棒状レンチ挿入穴の横断面と相似形の頭部を備えるミニ螺子と、該ミニ螺子の軸に貫装される、弾性材からなるリング型断面可変固定具と、前記ミニ螺子に対応しその軸部の螺入を受け入れる軸部を有し、かつ傘状の頭部を備えるマッシュ・ルーム型ボルトから構成されることを特徴とする棒状レンチ挿入穴冠着カバーキャップ。
【請求項２】
請求項１記載のリング型断面可変固定具は、ミニ螺子がマッシュ・ルーム型ボルトに螺入されることによって、上下が圧縮されて円周方向に拡張して、レンチ挿入穴の内壁に密着し、その摩擦力によってマッシュ・ルーム型ボルトを棒状レンチ挿入穴付スクリューボルトに冠着することを特徴とする棒状レンチ挿入穴冠着カバーキャップ。
【発明の詳細な説明】
【技術分野】
【０００１】  本発明は棒状レンチ挿入穴付スクリューボルト、いわゆる穴付ボルトの穴のカバーキャップに関する。
【背景技術】
【０００２】  直接、風雨や泥沙にさらされ、あるいは不特定多数の者に接触する機会が多い装置に取り付けられた穴付ボルトは、挿入穴の防錆、防汚や悪意ある行為によるボルトの抜脱に対しても配慮する必要がある。【０００３】  しかし、現状では、容易に脱着が可能な、金属製やプラスチック製のカバーが市販されているにすぎず、防錆・防汚には一定の効果が期待できるものの、悪意ある行為にたいする抑止効果が十分とはいえない。
【非特許文献１】ｈｔｔｐ：／／ｊｐ．ｍｉｓｕｍｉ−ｅｃ．ｃｏｍ／ｅｃ／ＩｔｅｍＤｅｔａｉｌ／１０３００２３９７７０．ｈｔｍｌ
【非特許文献２】ｈｔｔｐ：／／ｗｗｗ．ｅ−ｎｅｄｚｉ．ｃｏｍ／ｐｒｏｄｕｃｔ／ｓｃｃ／ｉｎｄｅｘ．ｈｔｍｌ
【発明の開示】
【発明が解決しようとする課題】
【０００４】  穴付ボルトのレンチ挿入穴への雨水や泥沙の侵入を困難にし、一見するとカバーキャップの脱着が不可能なような外観を呈することによって、悪意者によるボルトの抜脱を断念させるが、指定された冶具を用いた場合には、ボルトの脱着を容易にし、あわせて穴付ボルトを取り付けた装置の振動による、カバーキャップの脱落を防止する。
【発明を解決するための手段】
【０００５】  その平面形状によってレンチ挿入穴の底部に嵌着されるミニ螺子３と、該ミニ螺子の軸に貫装された弾性材によるリング型断面変形固定具２を、傘状カバーキャップを備えるマッシュルーム型ボルト１に、ミニ螺子３の軸部を螺入することにより、リング型断面変形固定具２の上下が圧縮されて円周方向に拡張し、レンチ挿入穴５の内壁に密着し、その摩擦力によってマッシュルーム型ボルト１を穴付きボルト４のレンチ挿入口に冠着させる。
【発明の効果】
【０００６】  本発明によって、マッシュルーム型ボルト１と、リング状断面変形固定具２、ミニ螺子３が一体となってレンチ挿入穴に強固に固定され、マッシュルーム型ボルト１の頭部がカバーキャップとなって、雨水や泥沙の侵入を防止し、悪意によるボルトの抜脱を断念させるばかりでなく、穴付ボルトが取り付けられている装置の振動による、カバーキャップの脱落を防止する。
【０００７】  ミニ螺子３の異形または多角形平面を有する頭部の長軸は、レンチ挿入穴の横断面短軸より大の関係にあればよく、このことは、ミニ螺子の緩挿許容差が大きいということであり、穴付きボルトにおける、インチ法による規格とメートル法による規格の寸法誤差を充分に吸収できる。
【発明を実施するための最良の形態】
【０００８】  マッシュルーム型ボルト及びミニ螺子と一体になった、弾性材からなるリング状断面変形固定具が、レンチ挿入穴の内壁に密着することにより、その摩擦力で一体となったマッシュルーム型ボルト、ミニ螺子ボルト及びリング状断面変形固定具をレンチ挿入穴に固定、結果として、マッシュルーム型ボルトの頭部であるカバーキャップをレンチ挿入口に冠着する。
なお、本図はレンチ挿入穴が六角形の場合を例示している。
【実施例】
【０００９】  図１は本発明の全体構成を示しており、カバーキャップを頭部とする、マッシュルーム型ボルト１は、ミニ螺子３の軸部の螺入に対応する軸部を備え、弾性材によるリング状断面変形固定具２は、前記ミニ螺子３の軸部に貫装されて、ミニ螺子がマッシュルーム型ボルトに螺入されると、マッシュルーム型ボルト１、リング状断面変形固定具２、ミニ螺子３は一体となるが、この時点ではリング状断面変形固定具２の変形を招かない程度の螺入とする。【００１０】  図２は、ミニ螺子３をマッシュルーム型ボルト１へ螺入し、マッシュルーム型ボルト１、リング状断面変形固定具２、ミニ螺子３が一体となった状態を示している。【００１１】  図３は、前記によって一体化したマッシュルーム型ボルト１、リング状断面変形固定具２、ミニ螺子３を穴付スクリューボルト４へ緩挿して、マッシュルーム型ボルト４の頭部、すなわちカバーキャップの表面を、表面の粘性が大きな冶具、例えば、シリコン・ゴム片等で押圧しながら螺入した結果、リング状断面変形固定具２の上下が押圧されて、円周方向に拡張してレンチ挿入穴５の内壁に密着した状態を示している。【００１２】  一体となった３つのパーツ、すなわちマッシュルーム型ボルト１、リング状断面変形固定具２、ミニ螺子３は、ミニ螺子３の頭部の平面形とレンチ挿入穴５の横断面が相似形であることにより、ミニ螺子３の頭部がレンチ挿入穴５に嵌合するため、治具によるマッシュルーム型ボルト１の螺入操作によって、同時に回転することがなく、マッシュルーム型ボルト１は棒状レンチ挿入穴付スクリューボルト４に冠着する。【００１３】  マッシュルーム型ボルト１の頭部、すなわち、カバーキャップを押圧しながら操作する治具は、前述した、シリコン・ゴムに加え、天然ゴム、合成ゴムなど粘性が大きく、弾力性があるものが望ましい。【００１４】  一体となった３つのパーツ、すなわちマッシュルーム型ボルト１、リング状断面変形固定具２、ミニ螺子３を抜脱する場合には、前記治具を用いて、カバーキャップ、すなわち、マッシュルーム型ボルト１の頭部を押圧しながら、逆螺入操作をおこなう。【００１５】  リング状断面変形固定具２に代えて、首下テーパー付ボルトとスプリング・ワッシャーやＥリングトと組み合わせて、棒状レンチ穴の内壁に密着させる方法も、考慮の範囲となることは言うまでもない。
【産業上の利用可能性】
【００１６】  穴付ボルトの穴を、本発明によるカバーキャップで強固に冠着することにより、公道を走行する車輛に義務づけられているナンバー・プレートをはじめ、屋外で風雨にさらされる装置、あるいは、不特定多数の者による悪意ある行為から守らねばならない装置、あるいは、外形の美観を重要視せねばならぬ装置などに取り付けられた、穴付ボルトの穴への雨水や泥沙の侵入を防ぐことにより、装置全体の損耗劣化の変化を減少させるうえ、悪意ある行為を断念させる効果やセキュリティ管理面への貢献も期待できる。
【図面の簡単な説明】
【００１７】
【図１】全体構成を示す図である。
【図２】傘状カバーキャップを備えるマッシュルーム型ボルト、リング型断面変形固定具、ミニ螺子が一体となった状態を示す図である。
【図３】リング型断面変形固定具の上下が押圧されて円周方向に拡張し、棒状レンチ挿入穴の内壁に密着した状態を示す図である。
【符号の説明】
【００１８】  １  マッシュルーム型ボルト
２  リング型断面変形固定具
３  ミニ螺子
４  棒状レンチ挿入穴付ボルト（穴付ボルト）
５  棒状レンチ挿入穴
【図１】
2010175068.tif 000003
【図２】
2010175068.tif 000004
【図３】
2010175068.tif 000005